【手続補正書】
【提出日】平成30年8月29日(2018.8.29)
【手続補正１】
【補正対象書類名】特許請求の範囲
【補正対象項目名】全文
【補正方法】変更
【補正の内容】
【特許請求の範囲】
【請求項１】
所定の情報を記録する記録手段と、
電子機器に無線で電力を供給する無線電力伝送手段と、
前記電子機器とのデータ通信を行う第１の通信手段と、
前記電子機器と通信する第２の通信手段と、
前記第２の通信手段により前記電子機器から前記電子機器のステータス情報を取得する取得手段と、
前記取得手段により取得したステータス情報に含まれる情報と、前記記録手段に記録されている前記所定の情報とが一致するか否か判断する判断手段と、
前記判断手段により、前記取得手段により取得したステータス情報に含まれる情報と、前記記録手段に記録されている前記所定の情報とが一致すると判断された場合、前記取得手段により取得したステータス情報に基づき、前記第１の通信手段によるデータ通信と、前記無線電力伝送手段による電力供給とのどちらを実行するかを制御し、
前記判断手段により、前記取得手段により取得したステータス情報に含まれる情報と、前記記録手段に記録されている前記所定の情報とが一致しないと判断された場合、前記無線電力伝送手段による電力供給を実行すると共に、前記取得手段により取得したステータス情報に基づき前記電力供給を制御する制御手段と
を有することを特徴とする送電装置。
【請求項２】
前記取得手段により取得されたステータス情報から、前記電子機器が更新されたデータを記録しているか否かを確認する第１の確認手段と、
前記ステータス情報から前記電子機器の電力の残量を確認する第２の確認手段と
を有し、
前記制御手段は、前記第１の確認手段及び前記第２の確認手段による確認の結果に基づいて、前記第１の通信手段によるデータ通信と、前記無線電力伝送手段による電力供給とのどちらを実行するかを制御することを特徴とする請求項１に記載の送電装置。
【請求項３】
前記第１の確認手段により前記更新されたデータがあることが確認され、かつ前記第２の確認手段により前記電力の残量が所定値より大きいことが確認された場合に、前記制御手段は、前記第１の通信手段によるデータ通信を行うように制御することを特徴とする請求項２に記載の送電装置。
【請求項４】
前記第１の確認手段により前記更新されたデータがないことが確認された場合、または前記第２の確認手段により前記電力の残量が所定値以下であることが確認された場合に、前記制御手段は、前記無線電力伝送手段による電力供給を行うように制御することを特徴とする請求項２に記載の送電装置。
【請求項５】
前記ステータス情報は、前記無線電力伝送手段による電力供給のみで前記第１の通信手段によるデータ通信が可能であるか否かの情報を含み、
前記ステータス情報が前記無線電力伝送手段による電力供給のみで前記第１の通信手段による通信が可能でない場合に、前記制御手段は、前記第１の通信手段によるデータ通信と前記無線電力伝送手段による電力供給とのうち、いずれか一方を行うように制御し、
前記ステータス情報が前記無線電力伝送手段による電力供給のみで前記第１の通信手段による通信が可能である場合に、前記制御手段は、前記第１の通信手段によるデータ通信と前記無線電力伝送手段による電力供給とを並行して行うことを特徴とする請求項３または４に記載の送電装置。
【請求項６】
前記ステータス情報は、取り外し可能な記録媒体の接続の有無、取り外し可能な記録媒体を格納する蓋の開閉状態、前記第１の通信手段によるデータ通信の状態のうち少なくともいずれかの情報を含み、前記取り外し可能な記録媒体の接続がない場合、前記取り外し可能な記録媒体を格納する蓋が開いている場合、及び前記第１の通信手段によるデータ通信が無効に設定されている場合のうち、少なくともいずれか一つを満たす場合に、前記制御手段は、前記無線電力伝送手段による電力供給を行うように制御することを特徴とする請求項１に記載の送電装置。
【請求項７】
前記ステータス情報は、電池の有無、及び前記電池を格納する蓋の開閉状態の情報を含み、
前記電池があり、かつ前記電池を格納する蓋が閉じている場合に、前記制御手段は、前記無線電力伝送手段による電力供給を行うように制御することを特徴とする請求項６に記載の送電装置。
【請求項８】
前記第１の通信手段と前記第２の通信手段とが同一の通信方式であることを特徴とする請求項１から７のいずれか１項に記載の送電装置。
【請求項９】
前記制御手段は、前記第２の通信手段により、前記第１の通信手段による前記電子機器との接続を確立するペアリング処理を行うことを特徴とする請求項１から７のいずれか１項に記載の送電装置。
【請求項１０】
所定の情報を記録する記録手段と、電子機器に無線で電力を供給する無線電力伝送手段と、前記電子機器とのデータ通信を行う第１の通信手段と、前記電子機器と通信する第２の通信手段とを有する送電装置の制御方法であって、
前記第２の通信手段により前記電子機器から前記電子機器のステータス情報を取得する取得ステップと、
前記取得ステップにより取得したステータス情報に含まれる情報と、前記記録手段に記録されている前記所定の情報とが一致するか否か判断する判断ステップと、
前記判断ステップにより、前記取得ステップにより取得したステータス情報に含まれる情報と、前記記録手段に記録されている前記所定の情報とが一致すると判断された場合、前記取得ステップにより取得したステータス情報に基づき、前記第１の通信手段によるデータ通信と、前記無線電力伝送手段による電力供給とのどちらを実行するかを制御し、
前記判断ステップにより、前記取得ステップにより取得したステータス情報に含まれる情報と、前記記録手段に記録されている前記所定の情報とが一致しないと判断された場合、前記無線電力伝送手段による電力供給を実行すると共に、前記取得ステップにより取得したステータス情報に基づき前記電力供給を制御する制御ステップと
を有することを特徴とする制御方法。
【請求項１１】
コンピュータを、請求項１から９のいずれか１項に記載の送電装置の各手段として機能させるためのコンピュータが読み取り可能なプログラム。
【手続補正２】
【補正対象書類名】明細書
【補正対象項目名】０００６
【補正方法】変更
【補正の内容】
【０００６】
本発明に係る送電装置は、所定の情報を記録する記録手段と、電子機器に無線で電力を供給する無線電力伝送手段と、前記電子機器とのデータ通信を行う第１の通信手段と、前記電子機器と通信する第２の通信手段と、前記第２の通信手段により前記電子機器から前記電子機器のステータス情報を取得する取得手段と、前記取得手段により取得したステータス情報に含まれる情報と、前記記録手段に記録されている前記所定の情報とが一致するか否か判断する判断手段と、前記判断手段により、前記取得手段により取得したステータス情報に含まれる情報と、前記記録手段に記録されている前記所定の情報とが一致すると判断された場合、前記取得手段により取得したステータス情報に基づき、前記第１の通信手段によるデータ通信と、前記無線電力伝送手段による電力供給とのどちらを実行するかを制御し、前記判断手段により、前記取得手段により取得したステータス情報に含まれる情報と、前記記録手段に記録されている前記所定の情報とが一致しないと判断された場合、前記無線電力伝送手段による電力供給を実行すると共に、前記取得手段により取得したステータス情報に基づき前記電力供給を制御する制御手段とを有することを特徴とする。